(57)【特許請求の範囲】
【請求項１】
キー操作部への入力をロックまたはロック解除するロック操作部と、
第１の設定時間と該第１の設定時間よりも短い第２の設定時間と所定の継続時間閾値とが登録された記憶部と、
前記ロック操作部にロックが設定された時からロック解除が設定された時までのロック継続時間をカウントして前記制御部へ出力するカウンタと、
前記ロック操作部にロック解除が設定された時、表示部への表示およびバックライトの点灯を開始するとともに、前記カウンタから取得したロック継続時間を前記継続時間閾値と比較して、前記ロック継続時間が前記継続時間閾値より長い場合は前記表示時間および点灯時間を前記第１の設定時間に制御し、前記ロック継続時間が前記継続時間閾値より短い場合は前記表示時間および点灯時間を前記第２の設定時間に制御する制御部と、
を備えることを特徴とする携帯端末。
【請求項２】
前記記憶部には、さらに、所定の操作検出時間閾値が登録され、
前記制御部は、前記ロック操作部にロック解除が設定された後、前記キー操作部への入力の有無を監視し、前記ロック継続時間が前記継続時間閾値より短い場合であっても前記ロック解除から前記入力が有るまでの時間が前記操作検出時間閾値より短い場合は、前記表示時間および点灯時間を前記第１の設定時間に制御する、請求項１記載の携帯端末。
【請求項３】
前記携帯端末はタッチパネル式携帯端末であり、キー操作部はタッチパネル操作部であることを特徴とする請求項１または２項記載の携帯端末。
【請求項４】
キー操作部への入力をロックまたはロック解除するロック操作部と、第１の設定時間および該第１の設定時間よりも短い第２の設定時間と所定の継続時間閾値とが登録された記憶部とを備えた携帯端末のロック解除時における電力低減方法であって、
前記ロック操作部にロックが設定された時からロック解除が設定された時までのロック継続時間をカウントし、
前記ロック操作部にロック解除が設定された時、表示部への表示およびバックライトの点灯を開始するとともに、前記ロック継続時間を前記継続時間と比較し、
前記ロック継続時間が前記継続時間閾値より長い場合は前記表示時間および点灯時間を前記第１の設定時間に制御し、前記ロック継続時間が前記継続時間閾値より短い場合は前記表示時間および点灯時間を前記第２の設定時間に制御する、
携帯端末ロック解除時における電力低減方法。
【請求項５】
キー操作部への入力をロックまたはロック解除するロック操作部と、第１の設定時間および該第１の設定時間よりも短い第２の設定時間と所定の継続時間閾値とが登録された記憶部とを備えた携帯端末のコンピュータに、
前記ロック操作部にロックが設定された時からロック解除が設定された時までのロック継続時間をカウントする手順と、
前期ロック操作部にロック解除が設定された時、表示部への表示およびバックライトの点灯を開始するとともに、前記ロック継続時間を前記継続時間と比較する手順と、
前記ロック継続時間が前記継続時間閾値より長い場合は前記表示時間および点灯時間を前記第１の設定時間に制御し、前記ロック継続時間が前記継続時間閾値より短い場合は前記表示時間および点灯時間を前記第２の設定時間に制御する手順と、
を実現させるためのプログラム。
【発明の詳細な説明】
【技術分野】
【０００１】
本発明は、携帯端末，携帯端末ロック解除時における電力低減方法およびプログラムに関し、特にロック解除時に表示部の表示時間やバックライトの点灯時間を制御する携帯端末，携帯端末ロック解除時における電力低減方法およびプログラムに関する。
【背景技術】
【０００２】
ロック解除時に表示部の表示制御を行う携帯端末の例が、特開２００５−２６８９８３号公報（特許文献１）に開示されている。この特許文献１においては、ユーザが携帯端末のロック状態をパスワード等により解除した場合に、表示部の表示と入力装置のキー入力を有効にすることが記載されている。
【０００３】
【特許文献１】特開２００５−２６８９８３号公報（段落「００２９」、図２、図３）
【発明の開示】
【発明が解決しようとする課題】
【０００４】
上述した特許文献１においては、携帯端末のロック解除時に表示部の表示を有効にすることの記載はあるが、有効にする時間等については何ら触れられていない。例えば、ユーザは携帯端末の使用予定がなくロック状態に設定した場合でも、時刻を確認するため携帯端末を時計代わりに参照したい場合がある。このような場合、ユーザはロック解除することにより表示部に表示された現在時刻を確認する。そして、この場合はキー入力等の操作も不要であり、単に表示部に表示された時刻が見られればよいため、ほんの数秒間だけ表示部の表示が有効になるだけで充分である。しかし、ロック解除は時刻参照だけでなくキー入力等の操作を行うためにも行われ、操作を行う場合は時刻表示参照よりも長い時間表示部の表示を有効にする必要がある。このような観点から、ロック解除時に、時刻参照の場合と、それ以外の場合で表示部の有効時間を可変制御できることが望ましく、そうすることで携帯端末を時計代わりに使用する場合の消費電力を低減させることが可能になる。
【０００５】
本発明の目的は、以上の課題を解決する携帯端末，携帯端末ロック解除時における電力低減方法およびプログラムを提供することにある。
【課題を解決するための手段】
【０００６】
本発明の第１の携帯端末は、キー操作部への入力をロックまたはロック解除するロック操作部と、第１の設定時間と該第１の設定時間よりも短い第２の設定時間と所定の継続時間閾値とが登録された記憶部と、前記ロック操作部にロックが設定された時からロック解除が設定された時までのロック継続時間をカウントして前記制御部へ出力するカウンタと、前記ロック操作部にロック解除が設定された時、表示部への表示およびバックライトの点灯を開始するとともに、前記カウンタから取得したロック継続時間を前記継続時間閾値と比較して、前記ロック継続時間が前記継続時間閾値より長い場合は前記表示時間および点灯時間を前記第１の設定時間に制御し、前記ロック継続時間が前記継続時間閾値より短い場合は前記表示時間および点灯時間を前記第２の設定時間に制御する制御部と、を備える。
【０００７】
本発明の第２の携帯端末は、前記記憶部には、さらに、所定の操作検出時間閾値が登録され、
前記制御部は、前記ロック操作部にロック解除が設定された後、前記キー操作部への入力の有無を監視し、前記ロック継続時間が前記継続時間閾値より短い場合であっても前記ロック解除から前記入力が有るまでの時間が前記操作検出時間閾値より短い場合は、前記表示時間および点灯時間を前記第１の設定時間に制御する。
【０００８】
本発明の第３の携帯端末は、タッチパネル式携帯端末であり、キー操作部はタッチパネル操作部であることを特徴とする。
【０００９】
本発明の第１の携帯端末ロック解除時における電力低減方法は、キー操作部への入力をロックまたはロック解除するロック操作部と、第１の設定時間および該第１の設定時間よりも短い第２の設定時間と所定の継続時間閾値とが登録された記憶部とを備えた携帯端末のロック解除時における電力低減方法であって、前記ロック操作部にロックが設定された時からロック解除が設定された時までのロック継続時間をカウントし、前記ロック操作部にロック解除が設定された時、表示部への表示およびバックライトの点灯を開始するとともに、前記ロック継続時間を前記継続時間と比較し、前記ロック継続時間が前記継続時間閾値より長い場合は前記表示時間および点灯時間を前記第１の設定時間に制御し、前記ロック継続時間が前記継続時間閾値より短い場合は前記表示時間および点灯時間を前記第２の設定時間に制御する。
【００１０】
本発明のプログラムは、キー操作部への入力をロックまたはロック解除するロック操作部と、第１の設定時間および該第１の設定時間よりも短い第２の設定時間と所定の継続時間閾値とが登録された記憶部とを備えた携帯端末のコンピュータに、前記ロック操作部にロックが設定された時からロック解除が設定された時までのロック継続時間をカウントする手順と、前期ロック操作部にロック解除が設定された時、表示部への表示およびバックライトの点灯を開始するとともに、前記ロック継続時間を前記継続時間と比較する手順と、前記ロック継続時間が前記継続時間閾値より長い場合は前記表示時間および点灯時間を前記第１の設定時間に制御し、前記ロック継続時間が前記継続時間閾値より短い場合は前記表示時間および点灯時間を前記第２の設定時間に制御する手順と、を実現させる。
【発明の効果】
【００２２】
本発明は、携帯端末のロック解除時に、ロック継続時間やキー操作の有無等に応じて表示部の表示時間とバックライトの点灯時間を可変に制御しているため、ロック解除時における携帯端末の電力消費を低減できるという効果が得られる。
【発明を実施するための最良の形態】
【００２３】
本発明の実施の形態について図面を参照して詳細に説明する。
【００２４】
本発明は、携帯端末のロック解除時に表示部やバックライトによる電力消費を低減させるものである。この表示部やバックライトによる電力消費については、通常の携帯端末に比べて表示面積が大きいタッチパネル式携帯端末において特に顕著な効果が見込めるため、以下、タッチパネル式携帯端末を例にとって説明する。なお、携帯端末は、携帯電話機，ＰＨＳ(Personal Handyphone System)，ＰＤＡ(Personal Digital Assistance)等の携
帯情報端末を含んでいる。
【００２５】
図１は、本発明の第１の実施の形態の携帯端末の構成を示す図である。携帯端末は、液晶表示部１と、液晶駆動制御部２と、タッチパネル操作部３と、バックライト４と、バックライト駆動制御部５と、タッチパネルロック操作部６と、クロック７と、カウンタ８と、記憶部９と、電源部１０と、制御部１１とを備えている。なお、図１においては、本発明に直接関係のないアンテナ，無線部，スピーカ，マイク等の携帯端末の構成要素は省いている。図２は、タッチパネル式携帯端末の外観の一例を示す図である。
【００２６】
図１を参照すると、液晶表示部１は各種情報を表示する液晶表示装置であり、液晶駆動制御部２は制御部１１の指示により液晶表示部１の駆動を制御する。タッチパネル操作部３はタッチパネルによって構成された操作部であり、ユーザはタッチパネル上で触れることによってキー入力等の操作を行う。バックライト４は液晶表示部１の照明を行い、バックライト駆動制御部５は制御部１１の指示によりバックライト４の点灯，消灯を制御する。タッチパネルロック操作部６はタッチパネル操作部３に触れても携帯端末が動作しないようロックする、または、ロックを解除するための操作部であり、例えば、スライドキー等により構成される。カウンタ８はクロック７をカウントすることにより経過時間を計測する。記憶部９は読み出し，書き込み可能な記憶装置であり、第１の設定時間，第２の設定時間やロック継続時間閾値等がユーザにより予め登録される。ここで、第１の設定時間とは、ユーザが携帯端末を操作するためにロック解除した場合の液晶表示部１の表示時間，バックライト４の点灯時間であり、例えば、３０秒である。第２の設定時間とは、ユーザが現在時刻を見るために携帯端末をロック解除した場合の液晶表示部１の表示時間，バックライト４の点灯時間であり、例えば、１０秒である。ロック継続時間閾値とは、ロック解除時に、その時間未満のロック継続時間であった場合は時刻参照、その時間以上のロック継続時間であった場合は携帯端末の操作、と制御部１１が判断するための時間であり、例えば、６０分である。時刻参照は比較的短時間間隔で頻繁に行われると考えられるため、例えば、６０分としたが、ユーザ各自の慣習等に合わせて任意の時間に設定するものとする。電源部１０は携帯端末に電源を供給する電池である。
【００２７】
制御部１１は、ＣＰＵ(Central Processing Unit)等の制御装置であり、プログラムにより動作を制御される。この制御部１１は、
・タッチパネルロック操作部６の操作によりロック状態になったことを判別し、カウンタ８にカウント開始を指示する機能、
・タッチパネルロック操作部６の操作によりロックが解除されたことを判別し、カウンタ８にカウント終了を指示する機能、
・ロック解除時に、カウンタ８による計測時間（ロック継続時間）と記憶部９に登録されたロック継続時間閾値とを照合する機能、
・ロック継続時間がロック継続時間閾値以上であった場合に、液晶表示部１の表示時間およびバックライト４の点灯時間が第１の設定時間になるよう制御する機能、
・ロック継続時間がロック継続時間閾値未満であった場合に、液晶表示部１の表示時間およびバックライト４の点灯時間が第２の設定時間になるよう制御する機能、
を備えている。
【００２８】
次に、本発明の第１の実施の形態の動作について図１および図３を参照して説明する。なお、図３は、本発明の第１の実施の形態の動作を示すフローチャートである。
【００２９】
図３を参照すると、ユーザは携帯端末をロックしたいときに、タッチパネルロック操作部６のタッチパネルロック用スライドキーをロック側にスライドさせる。制御部１１は、タッチパネルロック操作部６によるロック操作を検出し、タッチパネル操作部３をロック状態にする（ステップＳ１０）。そして、制御部１１はカウンタ８に対してカウント開始を指示し、カウンタ８はカウントを開始する（ステップＳ１１）。
【００３０】
次に、ユーザがタッチパネルロック操作部６のタッチパネルロック用スライドキーをロック解除側にスライドさせると、制御部１１はタッチパネルロック操作部６によるロック解除操作を検出する。ロック解除操作を検出した制御部１１はカウンタ８に対してカウント終了を指示し、カウンタ８はカウントを終了する（ステップＳ１２，Ｓ１３）。そして、制御部１１はカウンタ８がカウントした時間（ロック継続時間）を取得し、記憶部９に予め登録されたロック継続時間閾値（例えば、６０分）と照合する（ステップＳ１４）。
【００３１】
ステップＳ１４における照合の結果、（ロック継続時間）＜（ロック継続時間閾値）であった場合は、制御部１１は記憶部９から第２の設定時間（例えば、１０秒）を取得する。そして、制御部１１は液晶駆動制御部２とバックライト駆動制御部５に対して第２の設定時間だけ表示，点灯するよう指示する。液晶駆動制御部２は制御部１１からの指示を受けて液晶表示部１を第２の設定時間だけ表示させる。また、バックライト駆動制御部５は制御部１１からの指示を受けてバックライト４を第２の設定時間だけ点灯させる（ステップＳ１５→ステップＳ１７）。
【００３２】
ステップＳ１４における照合の結果、（ロック継続時間）≧（ロック継続時間閾値）であった場合は、制御部１１は記憶部９から第１の設定時間（例えば、３０秒）を取得する。そして、制御部１１は液晶駆動制御部２とバックライト駆動制御部５に対して第１の設定時間だけ表示，点灯するよう指示する。液晶駆動制御部２は制御部１１からの指示を受けて液晶表示部１を第１の設定時間だけ表示させる。また、バックライト駆動制御部５は制御部１１からの指示を受けてバックライト４を第１の設定時間だけ点灯させる（ステップＳ１６→ステップＳ１７）。
【００３３】
以上説明したように、本実施の形態においては、ロック解除時に、解除前のロック状態が継続された時間（ロック継続時間）をパラメータとして、解除後の液晶表示部１の表示時間とバックライト４の点灯時間を制御している。従って、ユーザの時刻参照間隔を考慮してロック継続時間閾値を設定しておけば、時刻参照のためのロック解除時における液晶表示部１の表示時間とバックライト４の点灯時間を、第１の設定時間より短い時刻参照用の第２の設定時間とすることができる。これにより、ロック解除時における携帯端末の電力消費を低減できるという効果が得られる。
【００３４】
次に、本発明の第２の実施の形態について説明する。
【００３５】
本実施の形態の構成は図１に示す第１の実施の形態の構成と同じであるが、記憶部９に操作検出時間閾値をユーザが予め登録しておくものとする。操作検出時間閾値は、ロック解除後、その時間以内にタッチパネル操作部３における操作がされた場合は携帯端末の操作、その時間以内に操作がされなかった場合は時刻参照、と制御部１１が判断するための時間であり、例えば、５秒である。
【００３６】
次に、本実施の形態の動作について図１および図４を参照して説明する。なお、図４は、本発明の第２の実施の形態の動作を示すフローチャートである。
【００３７】
図４を参照すると、ユーザは携帯端末をロックしたいときに、タッチパネルロック操作部６のタッチパネルロック用スライドキーをロック側にスライドさせる。制御部１１は、タッチパネルロック操作部６によるロック操作を検出し、タッチパネル操作部３をロック状態にする（ステップＳ２０）。次に、ユーザがタッチパネルロック操作部６のタッチパネルロック用スライドキーをロック解除側にスライドさせると、制御部１１はタッチパネルロック操作部６によるロック解除操作を検出する（ステップＳ２１）。
【００３８】
ロック解除操作を検出した制御部１１はカウンタ８に対してカウント開始を指示し、カウンタ８はカウントを開始する（ステップＳ２２）。また、ロック解除操作を検出した制御部１１は記憶部９から第２の設定時間（例えば、１０秒）を取得し、液晶駆動制御部２とバックライト駆動制御部５に第２の設定時間の駆動を指示する。液晶駆動制御部２は制御部１１からの指示を受けて液晶表示部１の表示を開始する。また、バックライト駆動制御部５は制御部１１からの指示を受けてバックライト４の点灯を開始する（ステップＳ２３→ステップＳ２８）。
【００３９】
ロック解除操作後に、ユーザがタッチパネル操作部３に触れてキー入力等の操作を行うと、制御部１１は操作を検出し（ステップＳ２４）、カウンタ８に対してカウント終了を指示し、カウンタ８はカウントを終了する（ステップＳ２５）。そして、制御部１１はカウンタ８がカウントした時間（ロック解除からキー操作検出までの時間）を取得し、記憶部９に予め登録された操作検出時間閾値（例えば、５秒）と照合する（ステップＳ２６）。
【００４０】
ステップＳ２６における照合の結果、（ロック解除からキー操作検出までの時間）＜（操作検出時間閾値）であった場合は、制御部１１は記憶部９から第１の設定時間（例えば、３０秒）を取得する。そして、制御部１１は液晶駆動制御部２とバックライト駆動制御部５に対して第１の設定時間だけ表示，点灯するよう指示する。ステップＳ２３において第２の設定時間で駆動していた液晶駆動制御部２およびバックライト駆動制御部５は、表示時間，点灯時間を第１の設定時間に変更して液晶表示部１およびバックライト４を駆動する（ステップＳ２７→ステップＳ２８）。なお、ステップＳ２６における照合の結果、（ロック解除からキー操作検出までの時間）≧（操作検出時間閾値）であった場合は、制御部１１は動作を終了する。
【００４１】
以上説明したように、本実施の形態においては、
・ロック解除時に時刻参照用の第２の設定時間（１０秒）だけ液晶表示部１の表示とバックライト４の点灯を行うよう制御し、
・その後、ロック解除から操作検出時間閾値（５秒）が経過する前にキー操作が行われると、第１の設定時間（３０秒）だけ液晶表示部１の表示とバックライト４の点灯を行うよう設定時間を変更するようにしている。
こうすることにより、
・ロック解除から操作検出時間閾値が経過する前にキー操作が行われなかった場合は、時刻参照のためのロック解除と判断して、液晶表示部１の表示とバックライト４の点灯の時間はステップＳ２３で指示した第２の設定時間（１０秒）のままとし、
・ロック解除から操作検出時間閾値が経過する前にキー操作が行われた場合は、携帯端末操作のためのロック解除と判断して、液晶表示部１の表示時間とバックライト４の点灯時間を第２の設定時間（１０秒）から第１の設定時間（３０秒）に変更し、
・結果として、時刻参照のためのロック解除時の電力消費を低減できるという効果が得られる。
【００４２】
次に、本発明の第３の実施の形態について説明する。
【００４３】
本実施の形態は、上述した第１の実施の形態と第２の実施の形態を組み合わせたものである。本実施の形態の構成は図１に示す第１の実施の形態の構成と同じであるが、記憶部９に操作検出時間閾値をユーザが予め登録しておくものとする。
【００４４】
次に、本実施の形態の動作について図１および図５を参照して説明する。なお、図５は、本発明の第３の実施の形態の動作を示すフローチャートである。
【００４５】
図５を参照すると、ユーザは携帯端末をロックしたいときに、タッチパネルロック操作部６のタッチパネルロック用スライドキーをロック側にスライドさせる。制御部１１は、タッチパネルロック操作部６によるロック操作を検出し、タッチパネル操作部３をロック状態にする（ステップＳ３０）。そして、制御部１１はカウンタ８に対してカウント開始を指示し、カウンタ８はカウントを開始する（ステップＳ３１）。
【００４６】
次に、ユーザがタッチパネルロック操作部６のタッチパネルロック用スライドキーをロック解除側にスライドさせると、制御部１１はタッチパネルロック操作部６によるロック解除操作を検出する。ロック解除操作を検出した制御部１１はカウンタ８に対してカウント終了を指示し、カウンタ８はカウントを終了する（ステップＳ３２，Ｓ３３）。そして、制御部１１はカウンタ８がカウントした時間（ロック継続時間）を取得し、記憶部９に予め登録されたロック継続時間閾値（例えば、６０分）と照合する（ステップＳ３４）。
【００４７】
ステップＳ３４における照合の結果、（ロック継続時間）＜（ロック継続時間閾値）であった場合は、制御部１１は記憶部９から第２の設定時間（例えば、１０秒）を取得する。そして、制御部１１は液晶駆動制御部２とバックライト駆動制御部５に対して第２の設定時間だけ表示，点灯するよう指示する（ステップＳ３５）。液晶駆動制御部２は制御部１１からの指示を受けて液晶表示部１を第２の設定時間だけ表示させる。また、バックライト駆動制御部５は制御部１１からの指示を受けてバックライト４を第２の設定時間だけ点灯させる（ステップＳ３７）。
【００４８】
ステップＳ３４における照合の結果、（ロック継続時間）≧（ロック継続時間閾値）であった場合は、制御部１１は記憶部９から第１の設定時間（例えば、３０秒）を取得する。そして、制御部１１は液晶駆動制御部２とバックライト駆動制御部５に対して第１の設定時間だけ表示，点灯するよう指示する（ステップＳ３６）。液晶駆動制御部２は制御部１１からの指示を受けて液晶表示部１を第１の設定時間だけ表示させる。また、バックライト駆動制御部５は制御部１１からの指示を受けてバックライト４を第１の設定時間だけ点灯させる（ステップＳ３７）。
【００４９】
ステップＳ３５に続き、制御部１１はカウンタ８に対してカウント開始を指示し、カウンタ８はステップＳ３３におけるカウント値をリセットした後にカウントを開始する。ロック解除操作後に、ユーザがタッチパネル操作部３に触れてキー入力等の操作を行うと、制御部１１は操作を検出し、カウンタ８に対してカウント終了を指示し、カウンタ８はカウントを終了する。そして、制御部１１はカウンタ８がカウントした時間（ロック解除からキー操作検出までの時間）を取得し、記憶部９に予め登録された操作検出時間閾値（例えば、５秒）と照合する（ステップＳ３８）。
【００５０】
ステップＳ３８における照合の結果、（ロック解除からキー操作検出までの時間）＜（操作検出時間閾値）であった場合は、制御部１１は記憶部９から第１の設定時間（例えば、３０秒）を取得する。そして、制御部１１は液晶駆動制御部２とバックライト駆動制御部５に対して第１の設定時間だけ表示，点灯するよう指示する。ステップＳ３５→ステップＳ３７において第２の設定時間で駆動していた液晶駆動制御部２，バックライト駆動制御部５は、表示，点灯時間を第２の設定時間から第１の設定時間に変更して液晶表示部１，バックライト４をそれぞれ駆動する（ステップＳ３９）。なお、ステップＳ３８における照合の結果、（ロック解除からキー操作検出までの時間）≧（操作検出時間閾値）であった場合は、制御部１１は動作を終了する。
【００５１】
以上説明したように、本実施の形態においては、ロック解除時に、ロック継続時間とキー操作までの時間の組み合わせにより液晶表示部１の表示時間とバックライト４の点灯時間を決定するようにしている。詳細には、ロック継続時間がロック継続時間閾値未満であった場合でも所定時間内にキー操作が行われると、液晶表示部１の表示時間とバックライト４の点灯時間を第２の設定時間から第１の設定時間に変更するようにしている。また、ロック継続時間がロック継続時間閾値未満で所定時間内にキー操作が行われなかった場合は、液晶表示部１の表示時間とバックライト４の点灯時間は第２の設定時間のままとしている。以上の特徴により、時刻参照のためのロック解除時の電力消費を低減できるという効果を有するとともに、ロック継続時間が短くてもキー操作が所定時間内にあった場合は、表示，点灯時間を短縮しないという効果も併せて有している。
【００５２】
次に、第４の実施の形態について説明する。
【００５３】
本実施の形態の構成は図１に示す第１の実施の形態の構成と同じである。
【００５４】
次に、本実施の形態の動作について図１および図６を参照して説明する。なお、図６は、本発明の第４の実施の形態の動作を示すフローチャートである。
【００５５】
図６を参照すると、ユーザは携帯端末をロックしたいときに、タッチパネルロック操作部６のタッチパネルロック用スライドキーをロック側にスライドさせる。制御部１１は、タッチパネルロック操作部６によるロック操作を検出し、タッチパネル操作部３をロック状態にする（ステップＳ４０）。次に、ユーザがタッチパネルロック操作部６のタッチパネルロック用スライドキーをロック解除側にスライドさせると、制御部１１はタッチパネルロック操作部６によるロック解除操作を検出する。ロック解除操作を検出した制御部１１はアプリケーションが動作しているか否かを判別する。アプリケーションとは、例えばタッチパネルロック機能が有効な状態でも実行される音楽再生アプリケーション等を意味している（ステップＳ４１→ステップＳ４２）。ロック状態が解除されたときにアプリケーションが動作していない場合、制御部１１は記憶部９から第２の設定時間を取得し、液晶駆動制御部２とバックライト駆動制御部５に対して第２の設定時間だけ表示，点灯するよう指示する。液晶駆動制御部２は制御部１１からの指示を受けて液晶表示部１を第２の設定時間だけ表示させる。また、バックライト駆動制御部５は制御部１１からの指示を受けてバックライト４を第２の設定時間だけ点灯させる（ステップＳ４３→ステップＳ４５）。ロック状態が解除されたときにアプリケーションが動作している場合、制御部１１は記憶部９から第１の設定時間を取得し、液晶駆動制御部２とバックライト駆動制御部５に対して第１の設定時間だけ表示，点灯するよう指示する。液晶駆動制御部２は制御部１１からの指示を受けて液晶表示部１を第１の設定時間だけ表示させる。また、バックライト駆動制御部５は制御部１１からの指示を受けてバックライト４を第１の設定時間だけ点灯させる（ステップＳ４４→ステップＳ４５）。
【００５６】
以上説明したように、本実施の形態においては、タッチパネルロック解除時点でアプリケーションが動作している場合は第１の設定時間に、動作していない場合は第２の設定時間に、液晶表示部１，バックライト４の表示，点灯時間を変更している。なお、アプリケーションが動作していない場合にロック状態を解除する動機としてユーザによる時刻参照が考えられるため、結果として、時刻参照のためのロック解除時の電力消費を低減できるという効果が得られる。
【００５７】
次に、本発明の応用例，変形例等について説明する。
【００５８】
・上述した第１〜第４の実施の形態においては、携帯端末としてタッチパネル式携帯端末を例にとって説明したが、本発明はタッチパネル式携帯端末に限定されず、ロック機能を有する携帯端末全般に適用可能なことは明らかである。
【００５９】
・上述した第１〜第４の実施の形態のいずれの形態でロック解除時の電力低減を行うべきかを、ユーザが携帯端末に設定するようにしてもよい。この場合、携帯端末の制御部１１は設定された形態情報に応じた制御を行う。
【００６０】
・上述した第４の実施の形態において、アプリケーションとしてタッチパネルロック機能が有効な状態でも実行される音楽再生アプリケーション等を例にして説明したが、他の形態のアプリケーションであってもよい。例えば、ロック状態設定時に制御部１１がアプリケーションを中断させてアプリケーション実行状態情報を記憶部９に格納しておき、ロック解除時に記憶部９を参照してアプリケーション実行状態情報の有無を確認するようにしてもよい。
【図面の簡単な説明】
【００６１】
【図１】本発明の第１の実施の形態の携帯端末の構成を示す図である。
【図２】タッチパネル式携帯端末の外観の一例を示す図である。
【図３】本発明の第１の実施の形態の動作を示すフローチャートである。
【図４】本発明の第２の実施の形態の動作を示すフローチャートである。
【図５】本発明の第３の実施の形態の動作を示すフローチャートである。
【図６】本発明の第４の実施の形態の動作を示すフローチャートである。
【符号の説明】
【００６２】
１    液晶表示部
２    液晶駆動制御部
３    タッチパネル操作部
４    バックライト
５    バックライト駆動制御部
６    タッチパネルロック操作部
７    クロック
８    カウンタ
９    記憶部
１０    電源部
１１    制御部
【図１】
0004544205.tif 000002
【図２】
0004544205.tif 000003
【図３】
0004544205.tif 000004
【図４】
0004544205.tif 000005
【図５】
0004544205.tif 000006
【図６】
0004544205.tif 000007